(57)【要約】【課題】  取付けが非常に簡単であるとともに、ホルダにかかる横方向の力が制限され、騒音レベルが低減される一体型のコンパクトなエアフレッシュナーを提供する。【解決手段】  消臭剤のスプレーを分配するためのエアフレッシュナーであって、消臭剤を収容するためのホルダが受容され得るハウジングと、ドアまたはドア口に接触する端部を有し、ドアの動きにより移動がもたらされるようにする摺動バーと、この摺動バーに連結し、摺動バーの移動の際に分配部材を摺動バーの移動に対し横切る方向に移動させるウェッジ形状押圧部材とを備える、エアフレッシュナー。本発明によれば、上記摺動バーは、ガイドを含み、このガイドに沿って上記押圧部材が上記摺動バーに対し横切る方向に移動することができ、上記押圧部材は、上記分配部材との間に設けた連結部品を動作させ、上記連結部品は、上記ウェッジ形状押圧部材に対し接触面をなす丸い上側面を含む。【選択図】    図１
2004195211.tif 000002
【特許請求の範囲】
【請求項１】
消臭剤のスプレーを分配するためのエアフレッシュナーであって、
ドアにまたはドアに隣接して取り付けるためのハウジングであって、該ハウジング内には消臭剤を収容するためのホルダを受容でき、該ホルダには移動時に前記ホルダから消臭剤のスプレーを分配する可動な分配部材が設けられる、ハウジングと、
前記ドアまたはドア口に接触する端部を有し、前記ドアの動きにより移動がもたらされるようになっている摺動バーと、
該摺動バーに連結した、前記摺動バーの移動の際に前記分配部材を前記摺動バーの前記移動に対し横切る方向に移動させる、ウェッジ形状走行（run-on）面を有する押圧部材と
を備え、
前記摺動バーはガイドを含み、該ガイドに沿って前記押圧部材が前記摺動バーに対し横切る方向に移動することができ、前記押圧部材は、前記分配部材との間に設けた連結部品を動作させ、それにより、動作の際、前記摺動バーの第１の移動では、前記押圧部材と前記連結部品の接触面が前記ガイドにほぼ平行に延び、前記摺動バーから遠隔の位置に、前記ガイドに対し横切る方向に前記押圧部材を固定するようにし、前記第１の移動とは反対の第２の移動では、前記接触面は前記ガイドに対しほぼ横切る方向に向けられ、前記押圧部材が前記摺動バーの方に移動するようにし、前記連結部品は、前記ウェッジ形状押圧部材に対し接触面をなす丸い上側面を含むことを特徴とする、エアフレッシュナ−。
【請求項２】
前記連結部品は、回転可能な構造をしており、前記分配部材と接触をなす偏心接触面を含むことを特徴とする、請求項１に記載のエアフレッシュナー。
【請求項３】
前記連結部品は、逆圧下で前記ホルダのキャップの凹部に圧入され得る丸い下面を含むことを特徴とする、請求項１または２に記載のエアフレッシュナー。
【請求項４】
前記ガイドは、ガイドスロット内に受容されるガイドピンを含み、前記ガイドスロットは、少なくとも１つの前記ガイドピンが受容され得る凹部に連接しており、動作の際、前記ガイドピンは、前記第１の移動では前記凹部に固定され、前記第２の移動では前記凹部から前記ガイドスロットに押し入れられることを特徴とする、請求項１乃至３の少なくとも１項に記載のエアフレッシュナー。
【請求項５】
前記ハウジング内には、前記ホルダに連結されるプレート形状部を受容するためのスロットが設けられることを特徴とする、請求項３に記載のエアフレッシュナー。
【請求項６】
前記スロットは、横寸法が約３９ｍｍであるプレート形状部を受容するのに適していることを特徴とする、請求項４に記載のエアフレッシュナー。
【請求項７】
前記連結部品は、直径が約１５ｍｍであり長さが約４ｍｍであることを特徴とする、請求項１乃至６の少なくとも１項に記載のエアフレッシュナー。
【請求項８】
前記摺動バーは、ばねの張力下で、前記ハウジングに相対した一方の位置に保持され、前記ばねは板ばねであることを特徴とする、請求項１乃至７の少なくとも１項に記載のエアフレッシュナー。
【請求項９】
前記板ばねは、前記摺動バーと前記ウェッジ形状押圧部材の間に延び、前記押圧部材を前記摺動バーから離しておくようになっていることを特徴とする、請求項８に記載のエアフレッシュナー。
【請求項１０】
キャップと該キャップに連結した噴射剤ホルダとを備え、前記キャップは、前記噴射剤ホルダからスプレーを分配するための自由支持された押下可能な分配部材を備える、請求項１乃至９の少なくとも１項に記載のエアフレッシュナーのハウジング内に収納される、消臭剤を収容するためのホルダ。
【請求項１１】
前記分配部材は、連結部品の丸い下面が圧入される凹部を含み、該凹部は、可撓性接続要素に連接して、前記分配部材に対し可撓性サスペンションを形成することを特徴とする、請求項１０に記載のホルダ。
【請求項１２】
前記接続要素は、前記分配部材と前記キャップの壁の間に接続部を形成するほぼＶ字形状の可撓性部を含むことを特徴とする、請求項１１に記載のホルダ。
【請求項１３】
前記凹部は、長さが約４ｍｍであり直径が約１５ｍｍである丸い連結部品を受容するように幅が約４ｍｍであることを特徴とする、請求項１１または１２に記載のホルダ。
【請求項１４】
前記キャップは、エアフレッシュナーハウジングに設けたスロット内に係合することができるプレート形状部を含むことを特徴とする、請求項１０乃至１３のいずれ1項に記載のホルダ。
【請求項１５】
前記プレート形状部は、前記噴射剤ホルダを取り巻くケーシングを包囲し、該ケーシングの内壁には、逆圧下で該噴射剤ホルダの凹部に達する突起が配置されることを特徴とする、請求項１４に記載のホルダ。
【請求項１６】
前記プレート形状部は、操作者が前記ハウジングから該ホルダを取り外すのに係合することができるリップを含むことを特徴とする、請求項１４または１５に記載のホルダ。
【請求項１７】
前記リップは、前記分配部材の出口部品に到達することを特徴とする、請求項１６に記載のホルダ。
【請求項１８】
前記プレート形状部は、付勢下で前記スロット内の対応する形状の凹部にしっかりスナップ嵌めされるべき突起を含むことを特徴とする、請求項１４に記載のホルダ。
【請求項１９】
前記プレート形状部は横寸法が約３９ｍｍであり、前記リップは縦寸法が約２０ｍｍであることを特徴とする、請求項１４に記載のホルダ。
【請求項２０】
消臭剤のスプレーを分配するための方法であって、
可動時にホルダから消臭剤のスプレーを分配する可動な分配部材が設けられたホルダを、ドアにまたはドアに隣接して取り付けるためのハウジング内に配置すること、
ドアの動きにより、前記ハウジング内に受容されているとともに前記ドアまたはドア口に接触する端部を有する摺動バーを移動させることであって、前記ドアの動きにより移動がもたらされるようにする、摺動バーを移動させること、
ウェッジ形状走行面を有するとともに前記摺動バーに連結した押圧部材と、前記分配部材との間に連結部品を設けることであって、該連結部品は、前記ウェッジ形状押圧部材に対する接触面をなす丸い上側面を含む、連結部品を設けること、
前記摺動バーの第１の移動の際に、前記摺動バーから遠隔の位置に前記押圧部材を固定することであって、それにより前記摺動バーの移動に対し横切る方向に前記分配部材を移動させて前記スプレーを分配する、前記押圧部材を固定すること、
前記第１の移動とは反対に進む第２の移動の際に、前記摺動バーの方に前記押圧部材を移動させること
とを含む方法。
【発明の詳細な説明】
【技術分野】
【０００１】
本発明は、消臭剤のスプレーを分配する（dispense）ためのエアフレッシュナーであって、ドアにまたはドアに隣接して取り付けるためのハウジングであって、該ハウジング内には消臭剤を収容するためのホルダを受容することができ、このホルダには移動時にホルダから消臭剤のスプレーを分配する可動な分配部材が設けられる、ハウジングと、上記ドアまたはドア口に接触する端部を有し、ドアの動きにより移動がもたらされるようにする摺動バーと、この摺動バーに連結した、摺動バーの移動の際に上記分配部材を摺動バーの動きに対し横切る方向に移動させる、ウェッジ形状走行面を有する押圧部材とを備えるエアフレッシュナーに関する。
【背景技術】
【０００２】
米国特許第３，８５８，７６２号から、ウェッジ形状走行面（run-on surface）の上を移動する傾斜爪を利用することが既知である。この場合、分配部材は、スプレー用量が分配されるように摺動バーから離れて押されることになる。ホルダにかかる横方向の力（lateral force）は、爪の摺動移動に起因してかなりのものになる可能性があるため、機構の作用が妨げられるか、あるいはホルダがハウジングから押し出されかねない。この可能性は、使用が長引くと大きくなる可能性があり、そのため、爪が走行面の摩耗によってより一層の抵抗力を受ける。さらに、これらの摩擦により、使用の際の装置の騒音レベルがかなり高くなる。
【発明の開示】
【発明が解決しようとする課題】
【０００３】
本発明の目的は、上述した問題に対する解決策を提供することにある。さらなる目的は、取付けが非常に簡単であるとともに、ホルダにかかる横方向の力が制限され、騒音レベルが低減される一体型のコンパクトなエアフレッシュナーを提供することにある。
【課題を解決するための手段】
【０００４】
上述の目的に従い、本発明によるエアフレッシュナーは、本明細書の冒頭段落に記載した機構を備え、上記摺動バーはガイドを含み、そのガイドに沿って上記押圧部材が摺動バーに対し横切る方向に移動することができ、押圧部材は、上記分配部材との間に設けた連結部品を動作させ、動作の際、摺動バーの第１の移動では、押圧部材と連結部品との間の接触面がガイドにほぼ平行に延在し、摺動バーから遠隔位置にガイドに横切る方向に押圧部材を固定するようにし、上記第１の移動とは反対の第２の移動では、接触面はガイドにほぼ横切る方向に向けられ、押圧部材が摺動バーの方に移動するようにし、連結部品は、ウェッジ形状押圧部材に対し接触面をなす丸い上側面を含む。
【０００５】
このような構成のため、押圧部材は摺動バーに対し固定されないが、摺動バーに相対して移動することができる。接触面の形状およびガイドの向きにより、２つの機能を得ることが可能であり、そのため、第１の移動では、押圧部材が摺動バーに対して固定されていることから押下移動が押圧部材によって行われ、第２の移動では、ガイドが接触面に対し横切る方向に向けられ、押圧部材がガイドに沿って分配部材から離れるように移動されるという点で押下移動は行われない。第２の移動では、分配部材は押下されず、押圧部材が分配部材から離れるように移動される。この結果、第２の移動では、分配部材が押圧部材によって作動されない。したがって、摺動バーがドアまたはドア口により上方に押される方向（すなわち第１の移動）と摺動バーが元の開始位置に移動し戻る方向（すなわち第２の移動）の区別がなされ得る。第１の移動の際にのみ、押圧部材を押下するのに十分な力が生じるものとし、第２の移動では、比較的軽い力のばねにより摺動バーが再び開始位置に移動し戻ることができる。さらに、連結部品は、押圧部材が加える圧力による力を、連結部品を介して分配部材に伝えるための伝動部（transmission）として機能する。連結部品があることにより、分配部材にかかる横方向の力が制限される。
【０００６】
ウェッジ形状押圧部材は、第１の前方移動の際に連結部品を押下することができ、ウェッジ形状押圧部材の幅の狭い側面が連結部品に対向する。このウェッジ（wedge）は、第１の前方移動を続けながら連結部品の上を摺動し、幅の広い側面が円筒に対向する。第２の、反対の移動では、ウェッジの幅の広い側面が連結部品に対し押圧されるため、ウェッジがガイドに沿って上方に押され、分配部材は押下されない。
【０００７】
好適な実施形態では、連結部品は、回転可能な構造をしており、分配部材との接触をなす偏心接触面を含む。かかる構成により安定した移動が行われるため、側方移動が可能な限りなくなる。この態様では、側方とは、主要な移動方向に対する横切る方向の移動を意味することを理解されたい。摺動バーの移動方向の一方においてのみ、連結部品に力がかけられるため、この移動は上述の偏心接触面でかなり十分に無力化され得る。
【０００８】
連結部品は、円筒形の構造とすることができ、ホルダがガイド面と該ガイド面に連接した凹部とを含んでおり、それにより、ハウジング内にホルダが収納されたときに連結部品がガイド面を介して逆圧下で凹部に圧入される。
【０００９】
好適な実施形態では、ガイドは、ガイドスロット内に嵌め入れられるガイドピンを含むことができ、ガイドスロットは、少なくとも１つのガイドピンが嵌め入れられ得る凹部に連接しており、動作の際、ガイドピンは、第１の移動では凹部内に固定され、第２の移動では凹部からガイドスロットに押し入れられる。かかる凹部があることにより、作動部材が押下されている間、実際に、押圧部材が固定されている状態のままであることについての信頼性が高くなる。
【００１０】
本発明はさらに、上述の態様のいずれかの１つによるエアフレッシュナーのハウジング内に含まれる、消臭剤を収容するためのホルダに、特に、キャップと該キャップに連結された噴射剤ホルダとを備えるホルダに関し、このキャップは、噴射剤ホルダからスプレーを分配するための自由支持された押下可能な分配部材を備える。かかるホルダは、任意選択で使い捨て要素または再充填可能要素としてエアフレッシュナー内に嵌めることが可能であるよう、エアフレッシュナーから着脱自在であるように設計され得る。
【００１１】
自由支持された押下可能な分配部材により、横方向の力がそれるため、押圧部材の軸方向の押下移動からのわずかな偏りも妨げとなる影響を及ぼさず、特に、支障または過度の騒音の発生が起こることがない。
【００１２】
好適な実施形態では、分配部材は、連結部品の丸い下面が圧入され得る凹部を含み、この凹部は、可撓性接続要素に連接して、分配部材のための可撓性サスペンションを形成する。可撓性接続要素により、分配部材は自由支持される。接続要素は、分配部材とキャップの壁との間に接続部をなすほぼＶ字形状の可撓性部を含み得る。この凹部は好ましくは、長さが約４ｍｍであり直径が約１５ｍｍである丸い連結部品を受容するように幅が約４ｍｍである。
【００１３】
キャップは、エアフレッシュナーハウジング内に設けたスロット内に係合することができるプレート形状部を含み得る。このプレート形状部は、噴射剤ホルダを取り巻くケーシングを包囲することができ、ケーシングの内壁には、逆圧下で噴射剤ホルダの凹部内に達する突起が設けられる。プレート形状部とケーシングとのこのような組み合わせにより、実際には噴射剤ホルダと非着脱式に連結され得る非常に形状保持性のあるキャップが提供される。
【００１４】
プレート形状部は、操作者がハウジングからホルダを取り外すのに係合可能なリップを含み得る。このリップは、分配部材の出口部品に倒れることができる。このようなリップにより、使用者がホルダを交換する作業の便利性が増す。好ましくは、プレート形状部は横寸法が約３９ｍｍであり、リップは縦寸法が約２０ｍｍである。円筒部は、直径が約１５ｍｍであり長さが約４ｍｍであり得る。
【００１５】
本発明は、図面の参照によりさらに明示されるであろう。
【発明を実施するための最良の形態】
【００１６】
図１は、本発明によるエアフレッシュナー１の一般的な動作原理を示している。示すように、エアフレッシュナーはハウジング２を備え、このハウジングは、任意選択的に取付け板（図示せず）によりドア３に隣接してあるいはドア３に取り付けられることができ、ドアの動きにより、摺動バー４が係合され、エアフレッシュナー１が作動するようにする。ハウジング２は、遮蔽板５によって視界から隠されるホルダ６（図８および図９を参照）を収容し、このホルダは作動時にエアフレッシュナー１に設けた開口部７からスプレーを分配する。ホルダ６は、ハウジング内にゆるく収納されることができ、再充填可能なホルダまたは使い捨てホルダとすることができる。好ましくは、噴射剤ホルダが使用される。摺動バー４は、ドア３と接触する端部８を有する。動作の際、このドアが摺動バー４を伸張位置から後退位置に移動させ、それによって伸張位置から後退位置への移動の際にエアフレッシュナー１によってスプレーが分配される。
【００１７】
図２では、摺動バー４がハウジング２（一部を図示）内に収納される方法をより詳細に示している。この摺動バー４は、ハウジング２内を移動するように構成されている。図３を参照するとより詳細に示されているように、摺動移動の際、摺動バー４は連結部品１０を押下するように構成される押圧部材９を保持する。図７を参照するとより詳細に明示されるように、連結部品１０はホルダ６に押下移動を伝える。
【００１８】
設置時には最初、押圧部材９が摺動バー４の端部８に相対して設置されるが、この設置は歯付きストリップ１１により達成され、この歯付きストリップに沿って押圧部材９がシフトされることができる。このシフトは、弾性リップ１２の付勢下で行われ、歯付きストリップ１１にわたってガタ付き移動することができ、押圧部材は、任意選択的に遮断部材１３により支持され、ハウジング２に対し固定位置に保持される。
【００１９】
遮断部材１３は、押圧部材のスロット１５内に係合するリップ１４を含んでよい。摺動バーは、端部８がドアに接触するまで押し続けられ、押圧部材９は、遮断部材１３によって所定位置に保持される。したがって、エアフレッシュナー１は、ドアおよびドア口の特定の寸法に設定されることができる。ノブ１６によりリップ１４を押してスロットを外すことで、遮断が解かれ、摺動バーによって押圧部材が保持され得る。
【００２０】
図３には、矢印Ｐで表した第１の方向に摺動移動する際に、摺動バー４が、摺動バー４の端部に対して固定位置に固定されている押圧部材９（もはや遮断が外されている）を保持する方法が示されている。押圧部材９は、ガイド１７、およびガイド１７に相対して移動可能なウェッジ１８から構成される。この例ではガイド１７は、ガイド１７に収容されているガイドピン１９とウェッジ内に形成されているガイドスロット２０のアセンブリによって形成され、ガイドピン１９とともに移動することができる。
【００２１】
押圧部材９は、ドアの動きの結果、円筒連結部品１０に沿ってかつその上を移動し、それによってウェッジ１８が前方摺動移動Ｐの際に方向Ｑ（第１の方向Ｐに対しほぼ横切る方向の向き）に連結部品１０を押圧する。
【００２２】
摺動バー４は、図５ａで表すようにばね２１のばね作用下で先端位置に移動し、ドアによってこの位置から移動し戻ることができる。
【００２３】
ガイド１７は、歯付きストリップ１１によって摺動バー４に固定される。したがって、ガイド１７によって、端部８に対する押圧部材９の相対位置が実質的に固定されるが、ウェッジ１８は、依然として摺動バー４に対し横切る方向の移動を行うことができる。したがって、ウェッジ１８は、図５ａないし図５ｃを参照するとさらに明示されるように、前方移動Ｐでは、連結部品１０に比較的近い、摺動バー４から遠隔の位置に保持されることができ、戻り移動では、摺動バー４の方にガイドピン１９に沿って移動し、押圧部材９が連結部品１０からかなり離隔して連結部品１０が押下されないようにする。
【００２４】
摺動バー４と連結部品１０に相対するガイド１７の向きにより、ウェッジ１８は、前後に移動することができる。動作の際、押圧部材９と連結部品１０との間の接触面２２が、ガイドスロット２０にほぼ平行に延びる。これに関して「ほぼ平行な」とは、少なくとも以下のことを意味する、すなわち、ガイドの長手方向軸に平行な方向または該長手方向に対しわずかな角度（たとえば最大約２５度までの角度）、つまり接触面２２が加える法線力がガイドの移動方向にいかなる影響も及ぼさないほど小さい角度、にあることを意味することを理解されたい。この角度は、さらに図６を参照すると明示されるようにガイドに凹部２３を有するガイドスロット２０が設けられる場合に、また、任意選択でガイドピンとスロットとの間の摩擦がかなり大きい場合に増大し得る。
【００２５】
連結部品１０の丸い形状により、接触表面２４は、戻り移動（矢印Ｐで表す移動とは反対である）では、ガイドスロット２０にほぼ横切る方向に向けられ、押圧部材が遠隔位置に移動するようにする。これに関して「ほぼ横切る方向」とは、少なくとも、ガイドスロット２０の長手方向軸に対し横切る方向に（たとえば約６０°以上の角度で）、すなわち、接触面２４が加える法線力がガイドスロット２０の長手方向軸に沿ってウェッジ１９を移動させる程度まで横切る方向に延びる方向を意味することを理解されたい。この角度は、ガイドピン１９とスロット２０の間の摩擦が比較的小さい場合により小さくなり得る。
【００２６】
さらに、これに関して「接触面」とは、少なくとも、連結部品１０とウェッジ１８が互いに接触する地点にてウェッジ１８と連結部品１０との間の正接面を画定する面を意味することを理解されたい。したがって、この接触面は、ウェッジ１８および／または連結部品１０の正接面にほぼ平行に延在し、前方移動では参照符号２２によって、後方移動では参照符号２４によって全体的に示される。
【００２７】
図４は、図２および図３において示される摺動バー機構の実施形態の代替的な実施形態を示している。この実施形態では、エアフレッシュナー１は、対応する形状の摺動バー４、およびガイドピン１９に沿って移動可能なウェッジ形状要素１８を有する。この実施形態では、連結部品は、ウェッジ形状要素と接触するための丸い接触表面２２を有するハンマー形状部材２５である。したがって、この力は、図２および図３に示した実施形態を参照して説明したものとほぼ同一の方法で伝えられる。
【００２８】
ハンマー形状部材２５が回転可能な構造からなることにより、ウェッジ形状要素１８の走行摺動移動時に接触面２２上に及ぼされる正接力が十分にとられ、連結部品の移動が安定する。これにより、力がより円滑に分配部材２７（図示せず）に伝えられ得る結果として改善された動作が得られる。特に、この結果、動作の際の装置１の騒音レベルの低減を達成することができる。さらに雑音を低減する場合、また、ウェッジ形状要素の動作を改善するために、この実施形態では、摺動バーを後方に移動させるためのばねは、ハウジング２と摺動バー４の間を連結する板ばね２６である。板ばね２６によって、摺動バーは所定位置に押され、先端に延びた位置を限定するのに止め具が必要ない。このことは、図２および図３のばね構成に比して音が低減するという改善につながる。板ばね２６は、ウェッジ形状要素１８の上側に沿って延出するため、ウェッジ形状要素１８が常に摺動バーから遠隔の位置に移動されるため、重力が支持される。
【００２９】
次に、図５ａないし図５ｃは、矢印Ｒで表す戻り移動の際にウェッジ１８が連結部品１０の上を移動する方法を示している。図５ａにおいて、ウェッジ１８は、連結部品１０の右側に静止しており、凹部２３から既に半分のところに位置しているガイドピン１９の位置にから明らかなように既にわずかに上方に押されている。図に見られるように、連結部品１０は、円筒形の構造をしており、押下時にスプレーを分配する分配部材２７を作動することができる。分配部材２７は、図７を参照すると明示されているようにキャップ２８に含まれており、戻り移動の際に移動しない（したがって連結部品１０も移動しない）ほど堅く内部に支持され、それによって、接触面２４の逆圧下でウェッジ１８が摺動バー４の方向にガイドピン１９に沿って上方に押される。
【００３０】
図５ｂは、図５ａに示す位置から矢印Ｒに沿う連続移動の際に、ウェッジ１８が最も高い地点、すなわち連結部品１０に対して最大であるとともに摺動バーに対して最小に移動する位置、に配置される方法を示している。この場合、ガイドピン１９はガイドスロット２０の最下位置２９に位置する、すなわちウェッジがガイドピン１９に沿って最大に上方に移動されている。
【００３１】
最後に、図５ｃはウェッジの開始位置を示しており、この図では、ウェッジは、連結部品の最も高い地点を越したところにきており、ガイドピン１９（この時点では最上位置３０にある）の位置から明らかなように再びシフトし戻っている。付勢要素（図示せず）によって任意選択的に支持される重力作用によりウェッジ１８が押し下げられており、それによりウェッジの接触面２２が連結部品１０に係止している。この移動の逆の際、すなわち矢印Ｒに沿った移動方向が矢印Ｐに変わる場合、最下ガイドピンが再び凹部２３に押し入れられて、一サイクルが繰り返され、ウェッジ１８が連結部品１０の上の固定位置に移動され得る。
【００３２】
図６は、押圧部材９の分解した部品の図を示している。押圧部材は、ガイド１７およびウェッジ１８を形成する比較的非対称な設計の２部品から構成されている。ウェッジ１８は、動作可能に取り付けられた状態に対しほぼ水平な接触面３１を有し、この接触面３１は、ウェッジが開始位置（すなわち、その位置からウェッジが連結部品を押下する移動を行う）にきたときに連結部品と接触する。さらに、ウェッジは既に説明した接触面２２を有し、この接触面２２は、摺動バー４および第２の比較的小さな接触面２４の方向から見ると高くなっており、接触面２４は、第１の接触面に対しほぼ横にあり、ガイドピン１９に沿ってウェッジを上方に押すために少なくとも１つの係合地点を形成する。ガイド１７は、ピン１９のほかに、摺動バーに設けたスロット（図示せず）に沿って移動することを意図されたガイド部３２のアセンブリと、図２を参照して既に説明したように摺動バー４の端部８に対してガイドを設置する弾性リップ１２とを有する。
【００３３】
ウェッジ１８にはガイドスロット２９が設けられ、このスロットに沿ってガイドピン１９が移動することができ、ガイドスロットには凹部２３が設けられ、この凹部は、前方移動の際、ウェッジ１８が連結部品１０を押下するときにガイドピン１９をスロット２０内に固定することが可能である。
【００３４】
次に、図７は、連結部品１０の好適な実施形態、および連結部品１０が分配部材２７と係合する方法を示している。連結部品１０は、好ましくは円筒形の構造を有しており、したがって少なくとも上部および下部に丸い側面を有する。連結部品１０は、ハウジング２内に取り付けられ、ウェッジ１８によって押下される。分配部材２７は、プレート形状部３３が取り付けられている可撓性キャップ２８内に含まれている。このプレート形状部３３は、ハウジングに設けたスロット（図示せず）内に係合することができ、したがって、連結部品１０から一定の距離のところに保持され得る。次に、この連結部品１０は、キャップ２８に形成されたガイド面３４を介して摺動し、このガイド面にひと続きになっている凹部３５に入り、それによりホルダ６が逆圧下で凹部３５に密着され得る。スロットからホルダ６を取り外すため、操作者がハウジングからホルダを取り外すのに係合可能なリップ３６がプレート形状部３３に設けられる。好適な実施形態では、プレート形状部は横寸法が約３９ｍｍであり、リップは縦寸法が約２０ｍｍである。円筒部は、直径が約１５ｍｍであり長さが約４ｍｍであり得る。
【００３５】
図８は、本発明によるエアフレッシュナーのためのホルダ６の好適な実施形態を示している。ホルダ６は、ホルダ６と非着脱式に連結されたキャップ２８を含む。このキャップはプラスチックからできており、これは、図９および図１０を参照してさらに記載するように、特別な連結により噴射剤ホルダ３７（噴射剤によってスプレーされる液体消臭剤が充填されている）に固定される。キャップ２８の上部には、ガイド走行面３４（ガイド面にひと続きになっている凹部３５に終端している）が形成されている。図７に示した円筒連結部品１０は、ハウジング内にホルダが収納されたときに、ガイド面３２によって逆圧下で凹部３５に圧入される。好適な実施形態では、凹部３５は幅が約４ｍｍであり、連結部材１０は図８に示すように円筒部として設計される、すなわち長さが約４ｍｍであり直径が約１５ｍｍの円筒として形成される。さらに、図８のホルダは、エアフレッシュナーハウジング２（図示せず）に設けたスロット内に係合することができるプレート形状部３３を含む。プレート形状部３３には、ハウジングからホルダを取り外すために操作者が係合することができるリップ３６が形成される。好適な実施形態では、プレート形状部３３は横寸法が約３９ｍｍであり、リップは縦寸法が約２０ｍｍである。
【００３６】
図９は、図８のホルダ６の代替を側面図で示している。この実施形態では、ホルダ６は同様にキャップ２８および噴射剤ホルダ３７を備える。キャップ２８には、押下可能であり、したがって噴射剤ホルダ３７の出口部品３８を押下する分配部材２７が設けられる。出口部品３８は分配部材２７に通じており、分配部材は周囲にスプレーを分配する。分配部材２７には凹部３５が設けられ、図５ａないし図５ｃおよび図７を参照すると、この凹部３５に連結部品が圧入される。凹部３５は、可撓性Ｖ字形状接続要素３９に連接して、分配部材２７のための可撓性サスペンションを形成する。連結部品の軸方向圧力により、自由支持された分配部材２７が自由な軸方向移動を行い得る。この結果、横方向の力がそれ、出口部品が横方向の力なしに押下され得るため、装置がふさがれることが防止され、騒音レベルが低減される。連結部品の軸方向移動時に、凹部３５、したがって分配部材２７が軸方向に移動する。この結果、Ｖ字形状部３９は、下面に隣接して側方向に（図９では左側に）移動することになるため、軸方向移動がより良好に伝えられる。図９に示したキャップ２８は、ケーシング４０の内壁に設けた突起４１により噴射剤ホルダ３７に固定連結される。ケーシング４０は、噴射剤ホルダ３７を取り囲み、付勢下で突起４１が噴射剤ホルダ３７の凹部４２に達するようにする。
【００３７】
ケーシング４０および突起４１は、図１０においてキャップ２８の底面図に示されている。プレート形状部３３はケーシングを包囲しており、それによって噴射剤ホルダの周りにキャップの非常に高い寸法安定性が与えられる。結果として、キャップは、噴射剤ホルダ３７に実質的に非着脱式に連結され得る。さらに、プレート形状部３３は、分配部材２７の出口部品に倒れるリップ３６を含み、そのためリップ３６が分配部材２７からのスプレーの流出に悪影響を及ぼす可能性はない。プレート形状部３３には、図４に示したスロット４４内の対応する形状の凹部に付勢下でしっかりスナップ嵌めされるべき突起４３が設けられる。
【００３８】
本発明を好適な実施形態に基づいて明示してきたが、本発明はそれらの実施形態に限定されるものではなく、本発明の精神から逸脱しない限り他の変形または改変も含まれ得る。かかる変形は、添付の特許請求項の範囲内にあることが理解される。
【図面の簡単な説明】
【００３９】
【図１】本発明によるエアフレッシュナー、および該エアフレッシュナーがドアに隣接して取り付けられているところを示した概略図である。
【図２】設置前の、本発明によるエアフレッシュナーの摺動バー機構の概略的に示された側面図である。
【図３】分配部材が作動した状態での摺動バー機構の概略的に示された側面図である。
【図４】図２および図３に示された摺動バー機構の実施形態の代替的実施形態を示す図である。
【図５ａ】押圧部材が後方移動の際に分配部材を作動させずに分配部材の上を移動する、摺動バー機構の概略的に連続した図面で示された側面図である。
【図５ｂ】押圧部材が後方移動の際に分配部材を作動させずに分配部材の上を移動する、摺動バー機構の概略的に連続した図面で示された側面図である。
【図５ｃ】押圧部材が後方移動の際に分配部材を作動させずに分配部材の上を移動する、摺動バー機構の概略的に連続した図面で示された側面図である。
【図６】好適な実施形態による押圧部材の分解した部品を示す図である。
【図７】押圧部材のキャップへの押下移動を伝えるためのホルダおよび連結部品のキャップの分解した部品を示す図である。
【図８】本発明によるエアフレッシュナー用のホルダの概略図である。
【図９】図８のホルダの代替の側面図である。
【図１０】図９に示したホルダのキャップの底面図である。
【図１】
2004195211.tif 000003
【図２】
2004195211.tif 000004
【図３】
2004195211.tif 000005
【図４】
2004195211.tif 000006
【図５ａ】
2004195211.tif 000007
【図５ｂ】
2004195211.tif 000008
【図５ｃ】
2004195211.tif 000009
【図６】
2004195211.tif 000010
【図７】
2004195211.tif 000011
【図８】
2004195211.tif 000012
【図９】
2004195211.tif 000013
【図１０】
2004195211.tif 000014
【外国語明細書】
2004195211.tif 000015
2004195211.tif 000016
2004195211.tif 000017
2004195211.tif 000018
2004195211.tif 000019
2004195211.tif 000020
2004195211.tif 000021
2004195211.tif 000022
2004195211.tif 000023
2004195211.tif 000024
2004195211.tif 000025
2004195211.tif 000026
2004195211.tif 000027
2004195211.tif 000028
2004195211.tif 000029
2004195211.tif 000030
2004195211.tif 000031
2004195211.tif 000032
2004195211.tif 000033
2004195211.tif 000034
2004195211.tif 000035
2004195211.tif 000036
2004195211.tif 000037
2004195211.tif 000038
2004195211.tif 000039
2004195211.tif 000040
2004195211.tif 000041
2004195211.tif 000042
2004195211.tif 000043
2004195211.tif 000044
2004195211.tif 000045